(57)【要約】【課題】高精細であっても隣接する放電セル間での誤放電を防止でき、良好な画像表示が可能なＰＤＰを実現することを目的とする。【解決手段】放電セル１５において、走査電極６と維持電極７とは、ジグザグ形状の放電ギャップＭＧを介して対向し、データ電極１１は、表示電極５の配列方向に対して平行に突出した突出部１１ａを有し、この突出部１１ａと表示電極５とが交差する構成とする。このことにより、アドレス放電および維持放電が放電セル１５中央部に制限され、高精細であっても隣接する放電セル間での誤放電を防止でき、良好な画像表示が可能なＰＤＰを実現することが可能となる。【選択図】　図１
2004087167.tif 000002
【特許請求の範囲】
【請求項１】
前面板に複数形成した走査電極と維持電極とからなる表示電極と、背面板に複数形成したデータ電極との交差する部分に放電セルを形成したプラズマディスプレイパネルであって、放電セルにおいて、走査電極と維持電極とは、ジグザグ形状の放電ギャップを介して対向し、データ電極は、表示電極の配列方向に対して平行に突出した突出部を有し、この突出部と表示電極とが交差する構成としたプラズマディスプレイパネル。
【請求項２】
放電セルにおける走査電極と維持電極との面積を、それぞれ等しく構成した請求項１に記載のプラズマディスプレイパネル。
【請求項３】
前記ジグザグ形状を、凸形状、Ｖ字形状、円弧形状の中から選ばれる少なくとも一つ以上の形状とした請求項１または２に記載のプラズマディスプレイパネル。
【請求項４】
前記突出部の先端の形状を、多角形形状、楕円形状、円形状の中から選ばれる少なくとも一つの形状とした請求項１から３のいずれかに記載のプラズマディスプレイパネル。
【請求項５】
前面板側から見て、データ電極の前記突出部以外の部分が、放電セルを区切る隔壁によって隠れる構成とした請求項１から４のいずれかに記載のプラズマディスプレイパネル。
【請求項６】
データ電極の前記突出部の電気抵抗を、それ以外の部分の電気抵抗より小さくした請求項１から５のいずれかに記載のプラズマディスプレイパネル。
【請求項７】
データ電極の前記突出部の膜厚を、それ以外の部分の膜厚より厚くした請求項１から５のいずれかに記載のプラズマディスプレイパネル。
【発明の詳細な説明】
【０００１】
【発明の属する技術分野】
本発明は表示デバイスとして知られているプラズマディスプレイパネルに関するものである。
【０００２】
【従来の技術】
プラズマディスプレイパネル（以下、ＰＤＰと記す）では、ガス放電により紫外線を発生させ、この紫外線で蛍光体を励起して発光させることにより画像表示を行っている。
【０００３】
ＰＤＰには、大別して、駆動的にはＡＣ型とＤＣ型とがあり、放電形式では面放電型と対向放電型とがあるが、高精細化、大画面化および構造の簡素性に伴う製造の簡便性から、現状では、３電極構造の面放電型のＰＤＰが主流である。その構造は、走査電極と維持電極とからなる表示電極を複数有する前面板と、表示電極に対して直交する複数のデータ電極を有する背面板とを対向配置させることにより、表示電極とデータ電極との交差部に放電セルを形成し、且つ放電セル内に蛍光体層を備えたものであり、比較的蛍光体層を厚くすることができることから、蛍光体によるカラー表示に適している。
【０００４】
このようなＰＤＰは、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
【発明が解決しようとする課題】
上述のＰＤＰに対しては高精細化への要求が高まっており、これに対応するためには放電セルの配列ピッチを狭くする必要があるが、そのような狭ピッチで配列された場合、放電セルにおいては隣り合う放電セル間で誤放電が発生するという問題があり、画像表示に対して悪影響を与えていた。
【０００６】
本発明はこのような現状に鑑みなされたもので、高精細であっても隣接する放電セル間での誤放電を防止でき、良好な画像表示が可能なＰＤＰを実現することを目的とする。
【０００７】
【課題を解決するための手段】
上記目的を達成するために本発明のプラズマディスプレイパネルは、前面板に複数形成した走査電極と維持電極とからなる表示電極と、背面板に複数形成したデータ電極との交差する部分に放電セルを形成したプラズマディスプレイパネルであって、放電セルにおいて、走査電極と維持電極とは、ジグザグ形状の放電ギャップを介して対向し、データ電極は、表示電極の配列方向に対して平行に突出した突出部を有し、この突出部と表示電極とが交差する構成としたものである。
【０００８】
【発明の実施の形態】
すなわち、本発明の請求項１に記載の発明は、前面板に複数形成した走査電極と維持電極とからなる表示電極と、背面板に複数形成したデータ電極との交差する部分に放電セルを形成したプラズマディスプレイパネルであって、放電セルにおいて、走査電極と維持電極とは、ジグザグ形状の放電ギャップを介して対向し、データ電極は、表示電極の配列方向に対して平行に突出した突出部を有し、この突出部と表示電極とが交差する構成としたものである。
【０００９】
また、請求項２に記載の発明は、請求項１に記載の発明において、放電セルにおける走査電極と維持電極との面積を、それぞれ等しく構成したものである。
【００１０】
また、請求項３に記載の発明は、請求項１または２に記載の発明において、前記ジグザグ形状を、凸形状、Ｖ字形状、円弧形状の中から選ばれる少なくとも一つ以上の形状としたものである。
【００１１】
また、請求項４に記載の発明は、請求項１から３のいずれかに記載の発明において、前記突出部の先端の形状を、多角形形状、楕円形状、円形状の中から選ばれる少なくとも一つの形状としたものである。
【００１２】
また、請求項５に記載の発明は、請求項１から４のいずれかに記載の発明において、前面板側から見て、データ電極の前記突出部以外の部分が、放電セルを区切る隔壁によって隠れる構成としたものである。
【００１３】
また、請求項６に記載の発明は、請求項１から５のいずれかに記載の発明において、データ電極の前記突出部の電気抵抗を、それ以外の部分の電気抵抗より小さくしたものである。
【００１４】
また、請求項７に記載の発明は、請求項１から５のいずれかに記載の発明において、データ電極の前記突出部の膜厚を、それ以外の部分の膜厚より厚くしたものである。
【００１５】
以下、本発明の一実施の形態によるＰＤＰについて、図を用いて説明する。
【００１６】
図１は、本発明の一実施の形態によるＰＤＰの概略構成を示す断面斜視図である。また、図２は、表示電極５とデータ電極１１の形状、および表示電極５、データ電極１１、隔壁１２のそれぞれの位置関係を示す図である。
【００１７】
前面板１は、例えばガラスのような透明且つ絶縁性の基板２上に誘電体層３およびＭｇＯ蒸着膜による保護膜４で覆われた複数の表示電極５が付設された構造となっている。表示電極５は、走査電極６と維持電極７とが対となったものであり、走査電極６は透明電極６ａとその上に形成された例えばＣｒ／Ｃｕ／ＣｒまたはＡｇ等の金属材料による不透明なバス電極６ｂとからなり、維持電極７は透明電極７ａとその上に形成された同じく例えばＣｒ／Ｃｕ／ＣｒまたはＡｇ等の金属材料による不透明なバス電極７ｂとからなるものである。走査電極６と維持電極７とは、ジグザク形状の放電ギャップＭＧを介して対向している。図２では例えば維持電極７がＶ字形状の凸形状で、もう一方、例えば走査電極６がＶ字形状の凹形状で対向することによりジグザグの放電ギャップＭＧを介して対向した構成を示しているが、凸形状および凹形状が複数組み合わさった形態によるジグザグ形状の放電ギャップであっても構わない。
【００１８】
また、背面板８は、例えばガラスのような絶縁性の基板９上に誘電体層１０で覆われた複数のデータ電極１１が表示電極５と交差する方向に配列して付設されており、データ電極１１は、表示電極５の配列方向に対して平行に突出した突出部１１ａを有している。
【００１９】
誘電体層１０上のデータ電極１１間にはデータ電極１１の配列方向と平行してストライプ状の隔壁１２が設けられており、誘電体層１０の表面と隔壁１２の側面にかけてストライプ状に蛍光体層１３が設けられた構造となっている。そして前面板１と背面板８とは、隔壁１２を挟んで内部に放電空間１４を形成するように、且つ表示電極５とデータ電極１１とが交差する部分に放電セル１５を形成するように対向配置されている。
【００２０】
放電セル１５には、放電ガスとして、ヘリウム、ネオン、アルゴン、キセノンのうち、少なくとも１種類の希ガスが封入されている。一般的にはＮｅ−Ｘｅ５％のガスが用いられる。
【００２１】
そして、データ電極１１と表示電極５とに周期的な電圧を印加することにより放電を発生させ、この放電による紫外線を蛍光体層１３に照射して可視光に変換することにより画像表示が行われる。
【００２２】
以下、本実施の形態の特徴的な点をさらに詳細に述べる。図３は、図２中でのＸ−Ｘ矢視のＰＤＰの断面図、図４は、図２中でのＹ−Ｙ矢視のＰＤＰの断面図、図５は、図２中でのＺ−Ｚ矢視のＰＤＰの断面図である。
【００２３】
図２から図５に示すように、データ電極１１の突出部１１ａと、表示電極５である走査電極６および維持電極７の一方とが交差する部分の放電空間１４が放電セル１５となっている。図２においては、維持電極７とデータ電極１１の突出部１１ａとが交差する構成を示している。
【００２４】
上述の構成における作用は以下のとおりである。ＰＤＰが高精細で、隣接する放電セル１５間で誤放電が発生する要因としては、放電の際の電荷および電子が隣接する放電セル１５にまで到達するためであると考えられる。従来のＰＤＰでは、放電セル１５においてデータ電極１１と前面板１の表示電極５とは、図６に示すように交差するように形成されているため、アドレス放電１６は、表示電極５と前面板１のバス電極６ｂもしくは７ｂとの距離が最も近くなる部分で発生するものと考えられる。これは、バス電極６ｂもしくは７ｂが透明電極６ａ、７ａに比べて膜厚が厚い（約５μｍ）ため、バス電極６ｂ、７ｂ上の誘電体層３の膜厚が薄くなっているためと考えられる。すなわち、放電は自然現象における雷に近い現象であり、膜厚が厚く抵抗が低い、良導電性のバス電極６ｂ、７ｂに向けてアドレス放電が発生しやすくなると考えられるからである。ここで、図６から明らかなように、このアドレス放電１６の発生箇所は、隣接する放電セル１５に近いものとなり、従ってこのアドレス放電１６が隣接する放電セル１５に与える影響は大きくなる。
【００２５】
それに対し、本実施の形態によれば、走査電極６と維持電極７とは、放電ギャップを介して、一方の電極、例えば走査電極６の透明電極６ａが凸形状に、もう一方の電極、例えば維持電極７の透明電極７ａが凹形状となって放電ギャップＭＧを介して対向しており、凸形状の透明電極６ａが放電セル１５の中央部にまで突出した構成となっている。また、データ電極１１も突出部１１ａを有し、放電セル１５の中央部にて透明電極７ａと交差することから、図５に示すように、データ電極１１の突出部１１ａと透明電極６ａとが交差する部分でアドレス放電１６が発生することになる。すなわち、アドレス放電１６の発生箇所は、放電セル１５の中央部で、且つデータ電極１１と維持電極７との間でほぼ垂直方向に形成されることになる。このことにより、アドレス放電１６の際、生成される電荷および電子は速度成分として斜めのベクトルを持ちにくくなり、その結果、隣接する放電セル１５へ到達し難くなり、誤放電などの影響は発生しにくくなる。
【００２６】
さらに、図２に示すように、放電ギャップＭＧは、隔壁１２により仕切られた放電空間１４内で隣接する放電セル１５の配列方向に対して角度を持ったものとなっている。そして、維持放電が行われる際、維持放電は放電ギャップＭＧの最短距離方向に発生することから、維持放電の際に生成される電荷および電子は速度成分として、放電空間１４内で隣接する放電セル１５の配列方向のベクトルを持ちにくくなり、その結果、隣接する放電セル１５へ到達し難くなり、誤放電などの影響は発生しにくくなる。
【００２７】
以上、本実施の形態によれば、アドレス放電時と維持放電時での放電を放電セル１５の中央部に制限することができ、また放電の際、発生する電荷および電子の速度成分ベクトルの方向を制御することができることから、隣接する放電セル１５に対する誤放電等を抑制することができる。
【００２８】
また、本発明の他の実施の形態として、図７に示すように、走査電極６と維持電極７とがそれぞれ、放電ギャップＭＧで互いに対向するように突出部６ｃ、７ｃをそれぞれ有し、この突出部６ｃ、７ｃのいずれかとデータ電極１１の突出部１１ａとの間でアドレス放電を、また、突出部６ｃと７ｃとの間で維持放電を行わせるという構成がある。図７では透明電極６ａ、７ａで突出部６ｃ、７ｃを構成した例を示す。この構成により、アドレス放電および維持放電が、放電セル１５のさらに中心部で形成されることとなり、誤放電の抑制がさらに可能となる。
【００２９】
以上においては、透明電極６ａ、７ａの突出部の形状は、放電セル１５内での放電領域を制御することを達成さえすればこれに限るものではない。
【００３０】
以上のように、突出部６ｃ、７ｃを透明電極６ａ、７ａで構成した場合には、蛍光体層１３からの発光を効率良く前面板１を透過させることができる。
【００３１】
また、突出部分６ｃ、７ｃをバス電極６ｂ、７ｂで構成し、透明電極６ａ、７ａをなくす構成とした場合には、大幅な低コスト化が図られるとともに、バス電極６ｂ、７ｂは金属材料で透明電極６ａ、７ａに比べ良導電性であることから、誘電体層３に電荷がたまりやすくなるため、放電セル１５内での放電の領域の規制がさらに確実になる。なお、この場合、バス電極６ｂ、７ｂは非透明であり、したがって、蛍光体層１３からの発光を遮光してしまうことになるが、突出部６ｃ、７ｃを２箇所以上に分割した櫛状としたり、中をくりぬいた構成とするなど、放電ギャップＭＧを変化させずに突出部６ｃ、７ｃの遮光面積を減らすことで、本発明の効果を損わずに透過性を補うことが可能となる。
【００３２】
また、本発明の他の実施の形態として、図８に示すように、突出部１１ａの形状を、根元部１１ｂより先端部１１ｃの方を大きくしたという構成がある。この構成によれば、放電セル１５において、表示電極５と交差するデータ電極１１の先端部１１ｃのみ大きくなっていることから、アドレス放電は確実に、放電セル１５の中心部にのみ発生することとなり、誤放電抑制の効果はさらに高まる。
【００３３】
また、以上における先端部１１ｃの形状は、図８に示すような放電ギャップＭＧを中心とする多角形形状以外に、楕円形状または円形状に形成したりすることでも構わない。いずれも、アドレス放電の発生箇所および領域を制御する効果を更に高めることができ好ましい。
【００３４】
また、走査電極６と維持電極７の、凸形状および凹形状が、図９に示すような半円などの円弧形状や、また図１０、図１１に示すような、凸形状であっても、アドレス電極１１の突出部１１ａと放電セル１５の中央部で交差する部分が形成される形状であるならば構わない。
【００３５】
また、データ電極１１の突出部１１ａの電気抵抗が、それ以外の部分の電気抵抗より小さくなるようにし良導電性とする、例えば、突出部１１ａの膜厚をそれ以外の部分の膜厚より厚く形成することによっても、アドレス放電の発生箇所および領域を制御する効果を更に高めることができる。このような場合には、図１２に示すように、データ電極１１の突出部１１ａ以外の部分が、放電セル１５を区切る隔壁１２により隠されず、一部もしくは全部が放電セル１５内に露出した構成でも構わなくなる。この場合は、製造時のアライメントを容易に行うことができることとなり好ましい。
【００３６】
【発明の効果】
以上述べてきたように本発明のプラズマディスプレイによると、高精細であっても隣接する放電セル間での誤放電を防止でき、良好な画像表示が可能なＰＤＰを実現することができる。
【図面の簡単な説明】
【図１】本発明の一実施の形態によるプラズマディスプレイパネルの概略構成を示す断面斜視図
【図２】本発明の一実施の形態によるプラズマディスプレイパネルの表示電極とデータ電極および隔壁との位置関係を示す図
【図３】図２中でのＸ−Ｘ矢視に相当するＰＤＰの断面図
【図４】図２中でのＹ−Ｙ矢視に相当するＰＤＰの断面図
【図５】図２中でのＺ−Ｚ矢視に相当するＰＤＰの断面図
【図６】従来のプラズマディスプレイパネルでの維持放電発生箇所を示す図
【図７】本発明の他の実施の形態によるプラズマディスプレイパネルの表示電極とデータ電極および隔壁との位置関係を示す図
【図８】本発明の他の実施の形態によるプラズマディスプレイパネルの表示電極とデータ電極および隔壁との位置関係を示す図
【図９】本発明の他の実施の形態によるプラズマディスプレイパネルの表示電極とデータ電極および隔壁との位置関係を示す図
【図１０】本発明の他の実施の形態によるプラズマディスプレイパネルの表示電極とデータ電極および隔壁との位置関係を示す図
【図１１】本発明の他の実施の形態によるプラズマディスプレイパネルの表示電極とデータ電極および隔壁との位置関係を示す図
【図１２】本発明の他の実施の形態によるプラズマディスプレイパネルの表示電極とデータ電極および隔壁との位置関係を示す図
【符号の説明】
１　前面板
２　基板
３　誘電体層
４　保護膜
５　表示電極
６　走査電極
７　維持電極
８　背面板
９　基板
１０　誘電体層
１１　データ電極
１１ａ　突出部
１１ｂ　根元部
１１ｃ　先端部
１２　隔壁
１３　蛍光体層
１４　放電空間
１５　放電セル
【図１】
2004087167.tif 000003
【図２】
2004087167.tif 000004
【図３】
2004087167.tif 000005
【図４】
2004087167.tif 000006
【図５】
2004087167.tif 000007
【図６】
2004087167.tif 000008
【図７】
2004087167.tif 000009
【図８】
2004087167.tif 000010
【図９】
2004087167.tif 000011
【図１０】
2004087167.tif 000012
【図１１】
2004087167.tif 000013
【図１２】
2004087167.tif 000014